(57)【要約】第１の電子モジュール１４１と、この第１のモジュールに対して入出力の接続を提供する少なくとも１つの第２の電子モジュール１６１とを有する電子システム１０の動的なコンフィギュレーションを行うことを可能にするために、第２の電子モジュールには、コンフィギュレーション情報を格納するメモリ３８が搭載される。第１の電子モジュール上のコントローラ３６は、相互に接続された第２の電子モジュール上のメモリ３８に対してクエリーを発してこのモジュールからコンフィギュレーション情報を得ることができる。第２の電子モジュールから得られたコンフィギュレーション情報を使用して、第１の電子モジュールは、この第１の電子モジュール自体のコンフィギュレーションを行うことができる。このように、第１の電子モジュールは、第２の電子モジュールについての予備的な情報無しに、第１の電子モジュール自体のコンフィギュレーションを行うことができる。
2008511900.tif 000002
【特許請求の範囲】
【請求項１】
複数の入出力の接続をサポートする少なくとも１つの第１の電子モジュールと、
前記少なくとも１つの第１の電子モジュールに接続し、前記少なくとも１つの第１の電子モジュールに複数の入出力を提供する少なくとも１つの第２の電子モジュールと、
前記少なくとも１つの第１の電子モジュールを前記少なくとも１つの第２の電子モジュールに結合させる結合手段と、
前記少なくとも１つの第２の電子モジュールに搭載され、前記少なくとも１つの第２の電子モジュールのための入出力コンフィギュレーション情報を格納するストレージ・デバイスと、
前記少なくとも１つの電子モジュールに関連するコントローラであって、前記少なくとも１つの第２のモジュールに搭載される前記ストレージ・デバイスにクエリーを発することによって、当該第２のモジュールのための入出力コンフィギュレーション情報を得ることにより、前記少なくとも１つの電子モジュールのコンフィギュレーションを行うコントローラと、を含む、電子システム。
【請求項２】
前記ストレージ・デバイスがさらに不揮発性メモリを含む請求項１に記載の電子システム。
【請求項３】
前記不揮発性メモリがさらにＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ‐Ｏｎｌｙ  Ｍｅｍｏｒｙ）を含む請求項２に記載の電子システム。
【請求項４】
当該電子システムは、複数の第２の電子モジュールを含み、該第２の電子モジュールの各々が前記少なくとも１つの第１の電子モジュールのために複数の入出力の接続を提供する、請求項１に記載の電子システム。
【請求項５】
前記結合手段がさらにバックプレーンを含む請求項１に記載の電子システム。
【請求項６】
前記バックプレーンが、対向する第１の電子モジュールと第２の電子モジュールとの間の中継接続を提供する少なくとも１つの第１のコネクタを有する請求項５に記載の電子システム。
【請求項７】
前記バックプレーンが、互いに対向して位置していない第１および第２の電子モジュールと間の接続を提供するための、少なくとも１つの第２のコネクタをさらに有する請求項６に記載の電子システム。
【請求項８】
複数の入出力の接続を提供するための少なくとも１つの後部電子モジュールと、前記少なくとも１つの後部電子モジュールに結合する結合手段とを有する電子システムであって、
少なくとも１つの前部電子モジュールであって、該前部電子モジュールに前記入出力の接続を提供する前記少なくとも１つの後部電子モジュールに対して、前記結合手段を介して接続するために複数の入出力の接続をサポートする前部電子モジュールと、
前記少なくとも１つの前部電子モジュールに搭載され、前記結合手段に潜在的に接続可能な複数の後部電子モジュールのための入出力情報を格納する不揮発性ストレージ・デバイスと、
前記少なくとも１つの前部電子モジュールに関連し、前記少なくとも１つの後部電子モジュールに搭載される前記ストレージ・デバイスにクエリーを発して当該後部電子モジュールのための入出力コンフィギュレーション情報を得て、前記少なくとも１つの前部電子モジュールのコンフィギュレーションを行うコントローラと、を含む、前記電子システム。
【請求項９】
前記ストレージ・デバイスがさらに不揮発性メモリを含む請求項８に記載の電子システム。
【請求項１０】
前記不揮発性メモリがさらにＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ‐Ｏｎｌｙ  Ｍｅｍｏｒｙ）を含む請求項９に記載の電子システム。
【請求項１１】
複数の入出力の接続をサポートする少なくとも１つの第１の電子モジュールと、前記少なくとも１つの第１の電子モジュールに接続して当該第１の電子モジュールに複数の入出力を提供する少なくとも１つの第２の電子モジュールと、前記少なくとも１つの第１の電子モジュールを前記少なくとも１つの第２の電子モジュールに結合する結合手段とを有する電子システムのコンフィギュレーションを行う方法であって、
前記少なくとも１つの第１の電子モジュールに搭載されるストレージ・デバイスにクエリーを発することによって後部電子モジュールの入出力コンフィギュレーション情報を得るステップと、
前記ストレージ・デバイスから得られた前記少なくとも１つの第２の電子モジュールのための入出力コンフィギュレーション情報に従って前記少なくとも１つの第１の電子モジュールのコンフィギュレーションを行うステップと、を含む、前記方法。
【請求項１２】
前記ストレージ・デバイスに対してクエリーが発せられ、前記少なくとも１つの第２の電子モジュールのための入力信号の数が得られる請求項１１に記載の方法。
【請求項１３】
前記ストレージ・デバイスに対してクエリーが発せられ、前記少なくとも１つの第２の電子モジュールのための出力信号の数が得られる請求項１１に記載の方法。
【請求項１４】
前記ストレージ・デバイスに対してクエリーが発せられ、前記少なくとも１つの第２の電子モジュールのための入出力信号のタイプが得られる請求項１１に記載の方法。
【請求項１５】
前記ストレージ・デバイスに対してクエリーが発せられ、前記少なくとも１つの第２の電子モジュールのための入出力信号のフォーマットが得られる請求項１１に記載の方法。
【請求項１６】
前記ストレージ・デバイスに対してクエリーが発せられ、前記少なくとも１つの第２の電子モジュールのための入出力信号のコネクタのタイプが得られる請求項１１に記載の方法。
【請求項１７】
前記ストレージ・デバイスに対してクエリーが発せられ、前記少なくとも１つの第２の電子モジュールのためのコネクタおよび信号の物理的なレイアウトが得られる請求項１１に記載の方法。
【請求項１８】
前記ストレージ・デバイスに対してクエリーが発せられ、前記少なくとも１つの第２の電子モジュールのための信号制限が得られる請求項１１に記載の方法。
【請求項１９】
前記ストレージ・デバイスに対してクエリーが発せられ、前記少なくとも１つの第２の電子モジュールのための機能制限が得られる請求項１１に記載の方法。
【発明の詳細な説明】
【技術分野】
【０００１】
本発明は、電子システムのコンフィギュレーションを行うための技術に関する。
【背景技術】
【０００２】
多くの電子システムは、２つ以上の相互に接続された回路基板を含み、この回路基板は、「モジュール」と呼ばれることが多い。通常のシステムには、１つ以上の第１のモジュールが含まれ、各第１のモジュールは、バックプレーンなどの結合機構を介して１つ以上の第２のモジュールに接続されている。特定のシステムにおいては、各第２のモジュールは、第１のモジュールのうちの対応するものとの信号の出入りのため、複数の入出力を備えている。実際には、第１のモジュールおよび第２のモジュールはフレーム内に存在し、それぞれ、前部および後部のフレームの開口部を介してアクセスすることができる。この理由で、第１および第２のモジュールは、それぞれ、「前部の（フロント）」モジュール、「後部の（リア）」モジュールと指定されていることが多い。
【０００３】
静的な（ｓｔａｔｉｃ）システム、即ち、後部の電子モジュールの構造が不変のままであるシステムでは、各後部の電子モジュールとのインターフェースを管理するために各前部の電子モジュールによって用いられる制御ソフトウエアは、後部の電子モジュールの入出力機能における変更を考慮する必要がない。しかしながら、後部の電子モジュールの追加、削除、または、置き換えにより、リコンフィギュレーション（再構成を行うこと）が可能な電子システムでは、前部の電子モジュール制御ソフトウエアは、各後部の電子モジュールのための全ての既存の入出力信号の組み合わせ、さらに、将来使用する可能性のある組み合わせについての予備的な情報を有することが必要である。このような予備的な情報がない場合には、将来のシステムのリコンフィギュレーションには、各前部の電子モジュール上の制御ソフトウエアをアップグレードしたり、置き換えたりすることが必要となる。後部の電子モジュールの開発のペースに依存して、前部の電子モジュールの制御ソフトウエアを頻繁にアップグレードしたり、置き換えたりすることが必要となり、システムのコストが増加する場合がある。
【０００４】
従って、既存の、または、潜在的に将来使用する可能性のある入出力のコンフィギュレーションについての予備的な情報を必要としない、電子システムの動的なコンフィギュレーションを行う技術に対する需要がある。
【発明の開示】
【０００５】
（概要）
簡潔に言えば、本原理に従った例示的な実施の形態では、少なくとも１つの第１電子のモジュールと、少なくとも１つの第２の電子モジュールを含む電子システムが提供される。第２の電子モジュールは第１の電子モジュールに結合され、第１の電子モジュールの複数の入出力を提供する。各第２の電子モジュールには、当該第２の電子モジュールの入出力の機能に関する情報を格納するストレージ・デバイスが搭載される。第１の電子モジュールに関連するコントローラがこの第２のモジュール上のストレージ・デバイスにクエリーを発することによって各第２の電子モジュール入出力特性を判定する。ストレージ・デバイスから得られた情報に従って、コントローラは、第２の電子モジュールに関連する入出力をサポートするように第１の電子モジュールのコンフィギュレーションを行う。このように、各第１の電子モジュールは、既存、または、将来の第２の電子モジュールの変更に対応する能力を有する。
【発明を実施するための最良の形態】
【０００６】
図１は、本原理に従った例示的な実施の形態に係る電子システム１０の平面図である。システム１０は、フレーム１２を含み、このフレームには、少なくとも１つ、好ましくは複数の前部の開口部（図示せず）を有し、各開口部は、前部の電子モジュール１４１〜１４ｎのうちの対応するものを受け入れる。ｎは、零よりも大きい整数である。例示的な実施の形態によれば、ｎ＝２であるが、前部の電子モジュールの数を増減させてもよい。モジュール１４１などの各前部の電子モジュールは、１つ以上の機能を実行する電子回路基板の形態をとり、通常、複数の入出力のコンフィギュレーションをサポートする。
【０００７】
さらに、フレーム１２は、１つ以上の後部の開口部（図示せず）を有し、各開口部は、後部の電子モジュール１６１〜１６ｍのうちの対応するものを受け入れる。ｍは、零よりも大きい整数である。例示的な実施の形態によれば、ｍ＝２であるが、後部の電子モジュールの数を増減させてもよい。後部の電子モジュール１６１〜１６ｍの各々は、１組の入出力コネクタ３０が搭載された回路基板の形態をとり、入出力コネクタ３０を介して信号が後部の電子モジュールに出入りする。さらに、各後部の電子モジュールには、入出力コネクタ３０で受信され、入出力コネクタ３０に供給される信号を処理するための様々な回路が搭載される。以下に詳細に説明するように、後部の電子モジュール１６１〜１６ｍの少なくとも１つは、前部の電子モジュール１４１〜１４ｎのうちの対応するものための入出力バスとして機能し、この入出力バスを介して前部のフロント・モジュールに出入りする信号が搬送される。換言すれば、所与の前部の電子モジュールと外部との接続は、全て、少なくとも１つの関連する後部の電子モジュールを介して行われる。必要な入出力接続を得るために、前部の電子モジュールが複数の後部電子モジュールを利用する場合もある。さらに、所与の後部のモジュールは、様々な前部のモジュールとのインターフェースとなる機能を有することができ、前部のモジュールの全てがその後部モジュールの入出力機能をサポートするものではない。
【０００８】
前部のモジュールと後部のモジュールとの相互の接続は、幾つかの異なる方法で行うことができる。例えば、バックプレーン１８の形態の結合機構は、前部の電子モジュール１４１〜１４ｎおよび後部の電子モジュール１６１〜１６ｍの１組以上との間の相互の接続を提供する。相互の接続のために、バックプレーン１８は、複数の第１のコネクタ２０を含む。第１のコネクタ２０の各々は、一対の前部および後部の電子モジュールの前部のコネクタ２２と後部のコネクタ２４との中継接続を提供し、同一平面上に存在する。図１に示すように、前部の電子モジュール１４１および後部の電子モジュール１６１の各々がフレーム１２に完全に挿入され、同一平面に存在すると、前部および後部の電子モジュール上のコネクタ２２および２４がバックプレーンのコネクタ２０の位置が合っているものとそれぞれ対になる。対向して対になる前部の電子モジュールおよび後部の電子モジュールを完全にフレーム１２に挿入したときにのみ、接続が行われる。従って、図１において、部分的にのみ挿入されている前部の電子モジュール１４ｎおよび後部の電子モジュール１６ｍは、バックプレーン１８と接続されていない。図１に例示されている実施の形態においては、前部の電子モジュール１４１〜１４ｎおよび後部の電子モジュール１６１〜１６ｍは、水平方向に重なって配列されている。図示しないが、前部の電子モジュール１４１〜１４ｎおよび後部の電子モジュール１６１〜１６ｍを垂直方向に重なって配列させてもよいし、水平方向の配列と垂直方向の配列を組み合わせてもよい。
【０００９】
前部の電子モジュール１４１〜１４ｎおよび後部の電子モジュール１６１〜１６ｍに加えて、フレーム１２にはさらに、少なくとも１つのネットワーク・インターフェース・モジュール３２および少なくとも１つの電源３４を設けることができる。各ネットワーク・インターフェース・モジュール３２には、バックプレーンのコネクタと対になるコネクタが搭載される。図示しないが、電源３４はバックプレーン１８に接続され、電力を前部の電子モジュール１４１〜１４ｎおよび後部の電子モジュール１６１〜１６ｍ、さらに、各ネットワーク・インターフェース・モジュール３２に供給する。
【００１０】
対向する前部および後部のモジュールの相互の接続は、バックプレーン１８が存在しなくとも行うことができる。図１に示すように、対向する前部および後部のモジュール１４ｎおよび１６ｍには、それぞれにコネクタ２８、３０が搭載され、前部および後部のモジュールをフレーム１２に挿入したときにバックプレーン１８内の開口部（図示せず）を介して互いに対になるように構成されている。実際、対向する前部および後部のモジュール１４ｎおよび１６ｍは、バックプレーン１８が存在しなくとも、各々のコネクタ２８、３０を介して相互に接続することも想定される。従って、本原理のためには、前部および後部のモジュールの相互の接続を得るのにバックプレーン１８が存在しなくともよい。この点に関し、単一の前部のモジュール、単一の後部のモジュールを含み、前部のモジュールがネットワーク・インターフェースを備え、後部のモジュールが入出力機能および電源機能を有する限定されたシステムも想定される。
【００１１】
図１の例示的な実施の形態においては、各前部の電子モジュール１４１〜１４ｎはコントローラ３６を搭載し、このコントローラ３６は、マイクロプロセッサおよび関連するメモリ要素の形態、または、１つ以上の特定の用途向けの集積回路（ＡＳＩＣｓ：  ａｐｐｌｉｃａｔｉｏｎ  ｓｐｅｃｉｆｉｃ  ｉｎｔｅｇｒａｔｄ  ｃｉｒｃｕｉｔｓ）からなる１つ以上のハードウエア回路、フィールド・プログラマブル・ゲート・アレイ（ＦＰＧＡ：ｆｉｅｌｄ  ｐｒｏｇｒａｍｍａｂｌｅ  ｇａｔｅ  ａｒｒａｙ）などのプログラム・ロジック・アレイ（ＰＬＡｓ：ｐｒｏｇｒａｍｍａｂｌｅ  ｌｏｇｉｃ  ａｒｒａｙｓ）の形態をとる。コントローラ３６は、その対応する前部のモジュールの当該前部のモジュールに接続された各後部の電子モジュールとのインターフェースを制御する。静的な環境においては、後部の電子モジュール１６１〜１６ｍの構成は固定されたままである。このような状況では、通常、コントローラ３６は、その対応する前部の電子モジュールのインターフェースの制御に必要な情報を有し、各後部の電子モジューから受信される様々な入力信号、さらに、前部の電子モジュールによって各後部の電子モジュールに出力される様々な信号を取り扱う。
【００１２】
後部の電子モジュールのコンフィギュレーションが静的である限り、各コントローラ３６によって使用されるソフトウエアには、所与の電子モジュールの入力および／または出力の変更を考慮する必要がない。しかしながら、後部の電子モジュールの追加、削除、交換によるリコンフィギュレーションが可能な電子システムでは、各コントローラ３６によって使用されるソフトウエアは、全ての既存の入出力信号の組み合わせ、さらに、将来使用する可能性のある組み合わせについての情報を有することが必要である。過去においては、新たな後部の電子モジュールの導入により、各コントローラ３６のソフトウエアのアップデートや置き換えが必要となり、時間がかかり、高価な処理が必要となった。
【００１３】
図１の電子システム１０は、後部の電子モジュール１６１〜１６ｍの各々にメモリ３８を提供することによって上述した解決するという利点を有する。オンボード・メモリ３８は、通常、後部の電子モジュールに関する情報を格納するＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ‐Ｏｎｌｙ  Ｍｅｍｏｒｙ）、または、同様のタイプの不揮発性メモリの形態を有する。特に、メモリ３８は、このメモリを搭載した後部の電子モジュールの以下に挙げる属性のうち１つ以上の属性に関する情報を格納する。
【００１４】
・入力信号の数
・出力信号の数
・各信号のタイプ（例えば、ビデオ、オーディオ、データなど）
・各信号のフォーマット（ＳＤＩ、コンポジット、ＡＥＳ、アナログ・オーディオなど）
・コネクタのタイプ（ＢＮＣ、ファイバ、バランスドＡＥＳ（ｂａｌａｎｃｅｄ  ＡＥＳ）など）
・コネクタ／信号の物理的なレイアウト
・信号に関する制限
・信号に関する機能の制約
【００１５】
信号制限が存在する限り、メモリ３８は、所与の信号のためにサポートされる様々なモード、帯域幅の制限が存在する場合にはその内容、さらに、データ・レートの詳細、解像度データなどについての情報を格納する。所与の後部の電子モジュールに機能の制約が存在する場合には、メモリ３８は、このような機能の制約についての情報を格納する。例えば、所与の前部の電子モジュールは、２Ｄ、アダプティブ２Ｄ（ａｄａｔｉｖｅ  ２Ｄ）、およびアダプティブ３Ｄ（ａｄａｐｔｉｅ  ３Ｄ）の復号化をサポートしている。特定の後部の電子モジュールは、関連する前部の電子モジュールのコンポジット入力をサポートするが、２Ｄおよびアダプティブ２Ｄ復号化に性能が制限される。別の後部の電子モジュールにより、追加の機能が実現される場合もある。所与の後部の電子モジュールのメモリ３８に格納された機能の制約についての情報から、関連する前部の電子モジュールのコントローラ３６は、関連する後部の電子モジュールに対し、何の機能の制約が存在するかを判定することができる。
【００１６】
図２は、図１のシステム１０の初期の電源立ち上げの際の動作に係る各ステップを示すフローチャートである。図２のステップ１００では、システム１０の電源立ち上げにより、また、システムに現在電源が供給されている場合には、前部の電子モジュールをフレーム１２に挿入することによって、初期電源立ち上げが開始する。電源の立ち上げ後、ステップ１０２において、各前部の電子モジュールが初期化される。その後、ステップ１０４において、各前部の電子モジュールは、後部の電子モジュールが存在するかどうかをチェックする、即ち、この前部の電子モジュールが後部の電子モジュールに接続されているかどうかをチェックする。後部の電子モジュールが存在しないことを前部の電子モジュールが判定すると、ステップ１０６において、前部の電子モジュールは、エラーをレポートする。なぜならば、各前部の電子モジュールは、少なくとも１つの後部の電子モジュールに接続することが必要だからである。
【００１７】
ステップ１０４において、後部の電子モジュールが存在するとチェックされたと仮定すると、ステップ１０８において、前部の電子モジュールは、各々の関連する後部の電子モジュールのメモリ３８（図１参照）に対してクエリーを発する。前部の電子モジュールに結合された各後部の電子モジュール上のメモリ３８に対してクエリーを発することによって、図１のコントローラ３６は、後部の電子モジュールに対するコンフィギュレーションおよび機能を設定する。換言すれば、前部の電子モジュールは、所与の相互に接続された後部の電子モジュールに関し、入力信号の数、出力信号の数、各信号のタイプ、各信号のフォーマット、コネクタのタイプ、コネクタ／信号の物理的なレイアウト、信号に関する制限、さらに、信号に関する機能の制約を判定する。関連する後部の電子モジュール上のメモリ３８に対してクエリーを発することによって得られる情報から、通常、図面上のコントローラ３６を有することによって、前部の電子モジュールは適切に自己を構成し、この前部のモジュール上に様々な他の要素（図示せず）のコンフィギュレーションを行うことができる。
【００１８】
ステップ１１０の後（または、エラーが発生した場合にはステップ１０６の後）、システム１０は、制御および監視ループ１１２の実行を開始する。制御および監視ループ１１２に入ると、ステップ１１４において、各前部の電子モジュールは入力信号および／またはデータを監視し、ステータス情報を得る。このような監視により、ステップ１１６において発生するユーザ入力によって生じる変更が検出される。ステップ１１８において、各前部の電子モジュールは、このようなユーザ・データに応答し、ユーザ入力情報に従って、１つ以上の関連する後部のモジュールの出力において利用可能な信号および／またはデータを制御する。
【００１９】
通常の動作の間、各前部の電子モジュールは、各ステップ１１４、１１６、１１８を連続的に実行する。これに対し、システム１０の初期電源立ち上げまたはシステムの電源立ち上げ後の前部の電子モジュールの追加の際、ステップ１００〜１１０が実行される。図２に示していないが、ステップ１１４において、関連する後部の電子モジュールのリコンフィギュレーションの原因となるような、信号損失、または、異常信号パターンの検出により、ステップ１０８および１１０の再実行がトリガされることがある。
【００２０】
行われる監視、およびその応答の実際の内容は、所与の前部の電子モジュールの特定の機能に依存している。例えば、所与の前部の電子モジュールは、ビデオ・ストリームやオーディオ・ストリームの符号化や復号化を行う場合がある。従って、監視およびその応答の内容は、前部の電子モジュールによって実行されるビデオ・ストリームやオーディオ・ストリームの符号化や復号化に関する。符号化や復号化を実行するのではなく、前部の電子モジュールは、ビデオ・キーイング（ｋｅｙｉｎｇ）処理、または他の処理、あるいは、オーディオ処理動作を実行する場合もある。前部の電子モジュールの特定の機能は、本発明の原理に従って関連する後部の電子モジュールのメモリ３８にクエリーを発することによって得られる情報に基づいて、この前部の電子モジュール自体のコンフィギュレーションを行う機能に関しては、特別の意味を持たない。
【００２１】
以上、電子システムの入出力のためのコンフィギュレーションを行う技術について説明した。
【図面の簡単な説明】
【００２２】
【図１】本原理に従った例示的な実施の形態に係る電子システムの平面図である。
【図２】図１の電子システムを動作させる方法の各ステップを示すフローチャートである。
【図１】
2008511900.tif 000003
【図２】
2008511900.tif 000004
【手続補正書】
【提出日】平成18年3月6日(2006.3.6)
【手続補正１】
【補正対象書類名】特許請求の範囲
【補正対象項目名】全文
【補正方法】変更
【補正の内容】
【特許請求の範囲】
【請求項１】
複数の入出力の接続をサポートする少なくとも１つの第１の電子モジュールと、
前記少なくとも１つの第１の電子モジュールに接続し、前記少なくとも１つの第１の電子モジュールに少なくとも１つの外部デバイスとの複数の入出力を提供する少なくとも１つの第２の電子モジュールと、
前記少なくとも１つの第１の電子モジュールを前記少なくとも１つの第２の電子モジュールに結合させる結合手段と、
前記少なくとも１つの第２の電子モジュールに搭載され、前記少なくとも１つの第２の電子モジュールのための入出力コンフィギュレーション情報を格納するストレージ・デバイスと、
前記少なくとも１つの電子モジュールに関連するコントローラであって、前記少なくとも１つの第２のモジュールに搭載される前記ストレージ・デバイスにクエリーを発することによって、当該第２のモジュールのための入出力コンフィギュレーション情報を得ることにより、前記少なくとも１つの電子モジュールのコンフィギュレーションを行うコントローラと、を含む、電子システム。
【請求項２】
前記ストレージ・デバイスがさらに不揮発性メモリを含む請求項１に記載の電子システム。
【請求項３】
前記不揮発性メモリがさらにＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ‐Ｏｎｌｙ  Ｍｅｍｏｒｙ）を含む請求項２に記載の電子システム。
【請求項４】
当該電子システムは、複数の第２の電子モジュールを含み、該第２の電子モジュールの各々が前記少なくとも１つの第１の電子モジュールのために複数の入出力の接続を提供する、請求項１に記載の電子システム。
【請求項５】
前記結合手段がさらにバックプレーンを含む請求項１に記載の電子システム。
【請求項６】
前記バックプレーンが、対向する第１の電子モジュールと第２の電子モジュールとの間の中継接続を提供する少なくとも１つの第１のコネクタを有する請求項５に記載の電子システム。
【請求項７】
前記バックプレーンが、互いに対向して位置していない第１および第２の電子モジュールと間の接続を提供するための、少なくとも１つの第２のコネクタをさらに有する請求項６に記載の電子システム。
【請求項８】
複数の入出力の接続を提供するための少なくとも１つの後部電子モジュールと、前記少なくとも１つの後部電子モジュールに結合する結合手段とを有する電子システムであって、
少なくとも１つの前部電子モジュールであって、該前部電子モジュールに少なくとも１つの外部デバイスとの前記入出力の接続を提供する前記少なくとも１つの後部電子モジュールに対して、前記結合手段を介して接続するために複数の入出力の接続をサポートする前部電子モジュールと、
前記少なくとも１つの前部電子モジュールに搭載され、前記結合手段に潜在的に接続可能な複数の後部電子モジュールのための入出力情報を格納する不揮発性ストレージ・デバイスと、
前記少なくとも１つの前部電子モジュールに関連し、前記少なくとも１つの後部電子モジュールに搭載される前記ストレージ・デバイスにクエリーを発して当該後部電子モジュールのための入出力コンフィギュレーション情報を得て、前記少なくとも１つの前部電子モジュールのコンフィギュレーションを行うコントローラと、を含む、前記電子システム。
【請求項９】
前記ストレージ・デバイスがさらに不揮発性メモリを含む請求項８に記載の電子システム。
【請求項１０】
前記不揮発性メモリがさらにＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ‐Ｏｎｌｙ  Ｍｅｍｏｒｙ）を含む請求項９に記載の電子システム。
【請求項１１】
複数の入出力の接続をサポートする少なくとも１つの第１の電子モジュールと、前記少なくとも１つの第１の電子モジュールに接続して少なくとも１つの外部デバイスとの複数の入出力を提供する少なくとも１つの第２の電子モジュールと、前記少なくとも１つの第１の電子モジュールを前記少なくとも１つの第２の電子モジュールに結合する結合手段とを有する電子システムのコンフィギュレーションを行う方法であって、
前記少なくとも１つの第１の電子モジュールに搭載されるストレージ・デバイスにクエリーを発することによって後部電子モジュールの入出力コンフィギュレーション情報を得るステップと、
前記ストレージ・デバイスから得られた前記少なくとも１つの第２の電子モジュールのための入出力コンフィギュレーション情報に従って前記少なくとも１つの第１の電子モジュールのコンフィギュレーションを行うステップと、を含む、前記方法。
【請求項１２】
前記ストレージ・デバイスに対してクエリーが発せられ、前記少なくとも１つの第２の電子モジュールのための入力信号の数が得られる請求項１１に記載の方法。
【請求項１３】
前記ストレージ・デバイスに対してクエリーが発せられ、前記少なくとも１つの第２の電子モジュールのための出力信号の数が得られる請求項１１に記載の方法。
【請求項１４】
前記ストレージ・デバイスに対してクエリーが発せられ、前記少なくとも１つの第２の電子モジュールのための入出力信号のタイプが得られる請求項１１に記載の方法。
【請求項１５】
前記ストレージ・デバイスに対してクエリーが発せられ、前記少なくとも１つの第２の電子モジュールのための入出力信号のフォーマットが得られる請求項１１に記載の方法。
【請求項１６】
前記ストレージ・デバイスに対してクエリーが発せられ、前記少なくとも１つの第２の電子モジュールのための入出力信号のコネクタのタイプが得られる請求項１１に記載の方法。
【請求項１７】
前記ストレージ・デバイスに対してクエリーが発せられ、前記少なくとも１つの第２の電子モジュールのためのコネクタおよび信号の物理的なレイアウトが得られる請求項１１に記載の方法。
【請求項１８】
前記ストレージ・デバイスに対してクエリーが発せられ、前記少なくとも１つの第２の電子モジュールのための信号制限が得られる請求項１１に記載の方法。
【請求項１９】
前記ストレージ・デバイスに対してクエリーが発せられ、前記少なくとも１つの第２の電子モジュールのための機能制限が得られる請求項１１に記載の方法。
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
複数の入出力の接続部をサポートする少なくとも１つの第１の電子モジュールと、
前記少なくとも１つの第１の電子モジュールに接続し、前記少なくとも１つの第１の電子モジュールの複数の出力部を少なくとも１つの外部デバイスに接続する少なくとも１つの第２の電子モジュールと、
前記少なくとも１つの第２の電子モジュールのための入出力コンフィギュレーション情報を格納するストレージ・デバイスと、
前記ストレージ・デバイスにクエリーを発することによって、前記第２の電子モジュールのための入出力コンフィギュレーション情報を判定することにより、前記少なくとも１つの第１の電子モジュールのコンフィギュレーションを行うコントローラと、を含む、電子システム。
【請求項２】
前記ストレージ・デバイスがさらに不揮発性メモリを含む請求項１に記載の電子システム。
【請求項３】
前記不揮発性メモリがさらにＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ‐Ｏｎｌｙ  Ｍｅｍｏｒｙ）を含む請求項２に記載の電子システム。
【請求項４】
当該電子システムは、複数の第２の電子モジュールを含み、該第２の電子モジュールの各々が前記少なくとも１つの第１の電子モジュールのために複数の入出力の接続を提供する、請求項１に記載の電子システム。
【請求項５】
前記少なくとも１つの第１の電子モジュールを前記少なくとも１つの第２の電子モジュールに結合させる結合手段をさらに含む請求項１に記載の電子システム。
【請求項６】
前記結合手段がさらにバックプレーンを含む請求項５に記載の電子システム。
【請求項７】
前記バックプレーンが、対向する第１の電子モジュールと第２の電子モジュールとの間の中継接続を提供する少なくとも１つの第１のコネクタを有する請求項６に記載の電子システム。
【請求項８】
前記バックプレーンが、互いに対向して位置していない第１および第２の電子モジュールと間の接続を提供するための、少なくとも１つの第２のコネクタをさらに有する請求項７に記載の電子システム。
【請求項９】
複数の入出力の接続部を提供するための少なくとも１つの後部電子モジュールと、前記少なくとも１つの後部電子モジュールを少なくとも１つの前部電子モジュールに結合する結合手段と、を有する電子システムであって、
複数の入出力の接続部をサポートする少なくとも１つの前部電子モジュールであって、前記結合手段を介して該前部電子モジュールの出力部を、少なくとも１つの外部デバイスに接続する前記少なくとも１つの後部電子モジュールと接続する、該前部電子モジュールと、
前少なくとも１つの後部電子モジュールのための入出力情報を格納する不揮発性ストレージ・デバイスと、
前記ストレージ・デバイスにクエリーを発して前記後部電子モジュールのための入出力コンフィギュレーション情報を判定することにより、前記少なくとも１つの前部電子モジュールのコンフィギュレーションを行うコントローラと、を含む、前記電子システム。
【請求項１０】
前記ストレージ・デバイスがさらに不揮発性メモリを含む請求項９に記載の電子システム。
【請求項１１】
前記不揮発性メモリがさらにＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ‐Ｏｎｌｙ  Ｍｅｍｏｒｙ）を含む請求項９に記載の電子システム。
【請求項１２】
複数の入出力の接続部をサポートする少なくとも１つの第１の電子モジュールと、前記少なくとも１つの第１の電子モジュールの前記複数の出力部を少なくとも１つの外部デバイスに接続する少なくとも１つの第２の電子モジュールと、前記少なくとも１つの第１の電子モジュールを前記少なくとも１つの第２の電子モジュールに結合する結合手段と、を有する電子システムのコンフィギュレーションを行う方法であって、
ストレージ・デバイスにクエリーを発することによって前記第２の電子モジュールの入出力コンフィギュレーション情報を得るステップと、
前記ストレージ・デバイスから得られた前記入出力コンフィギュレーション情報に従って前記少なくとも１つの第１の電子モジュールのコンフィギュレーションを行うステップと、を含む、前記方法。
【請求項１３】
前記ストレージ・デバイスに対してクエリーが発せられ、前記少なくとも１つの第２の電子モジュールのための入力信号の数が得られる請求項１２に記載の方法。
【請求項１４】
前記ストレージ・デバイスに対してクエリーが発せられ、前記少なくとも１つの第２の電子モジュールのための出力信号の数が得られる請求項１２に記載の方法。
【請求項１５】
前記ストレージ・デバイスに対してクエリーが発せられ、前記少なくとも１つの第２の電子モジュールのための入出力信号のタイプが得られる請求項１２に記載の方法。
【請求項１６】
前記ストレージ・デバイスに対してクエリーが発せられ、前記少なくとも１つの第２の電子モジュールのための入出力信号のフォーマットが得られる請求項１２に記載の方法。
【請求項１７】
前記ストレージ・デバイスに対してクエリーが発せられ、前記少なくとも１つの第２の電子モジュールのための入出力信号のコネクタのタイプが得られる請求項１２に記載の方法。
【請求項１８】
前記ストレージ・デバイスに対してクエリーが発せられ、前記少なくとも１つの第２の電子モジュールのためのコネクタおよび信号の物理的なレイアウトが得られる請求項１２に記載の方法。
【請求項１９】
前記ストレージ・デバイスに対してクエリーが発せられ、前記少なくとも１つの第２の電子モジュールのための信号制限が得られる請求項１２に記載の方法。
【請求項２０】
前記ストレージ・デバイスに対してクエリーが発せられ、前記少なくとも１つの第２の電子モジュールのための機能制限が得られる請求項１２に記載の方法。
【国際調査報告】
2008511900.tif 000005
2008511900.tif 000006